【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
同じ番組内容のハイビジョン放送及び携帯端末向け放送を同時に受信する受信手段と、該受信したハイビジョン放送の第１のコンテンツ及び携帯端末向け放送の第２のコンテンツを記録する記録手段とを備え、
該記録手段に記録された携帯端末向け放送の第２のコンテンツを、外部接続可能な記録媒体にトランスコードせずにムーブすることを特徴とするテレビジョン放送受信装置。
【請求項２】
前記記録手段に記録されたハイビジョン放送の第１のコンテンツを復号して再生するデコード手段を備えることを特徴とする請求項１に記載のテレビジョン放送受信装置。
【請求項３】
前記記録手段に記録されたハイビジョン放送の第１のコンテンツを一覧にした再生リストを備え、
該再生リストは、前記携帯端末向け放送の第２のコンテンツの有無を管理することを特徴とする請求項１又は２に記載のテレビジョン放送受信装置。
【請求項４】
携帯端末に接続される記録媒体であって、
同じ番組内容のハイビジョン放送の第１のコンテンツ及び携帯端末向け放送の第２のコンテンツを記録した記録手段からトランスコードせずにムーブされた前記携帯端末向け放送の第２のコンテンツが記録されていることを特徴とする記録媒体。
【請求項５】
前記記録媒体は、前記携帯端末向け放送の第２のコンテンツの管理情報を記録して有し、
前記記録手段からムーブされた前記携帯端末向け放送の第２のコンテンツを記録することにより、その管理情報を更新することを特徴とする請求項４に記載の記録媒体。
【請求項６】
同じ番組内容のハイビジョン放送の第１のコンテンツ及び携帯端末向け放送の第２のコンテンツを記録した記録手段と接続可能な携帯端末であって、
前記記録手段からトランスコードせずにムーブされた前記携帯端末向け放送の第２のコンテンツが記録された記録媒体と、該記録媒体に記録された前記携帯端末向け放送の第２のコンテンツを復号して再生するデコード手段とを備えることを特徴とする携帯端末。
【請求項７】
前記記録媒体は、前記携帯端末向け放送の第２のコンテンツの管理情報を記録して有し、前記記録手段から前記記録媒体にムーブされた前記携帯端末向け放送の第２のコンテンツを記録することにより、その管理情報を更新し、
前記デコード手段は、前記更新された管理情報に基づいて前記第２のコンテンツを復号して再生することを特徴とする請求項６に記載の携帯端末。
【手続補正２】
【補正対象書類名】明細書
【補正対象項目名】発明の名称
【補正方法】変更
【補正の内容】
【発明の名称】テレビジョン放送受信装置、記録媒体、及び携帯端末
【手続補正３】
【補正対象書類名】明細書
【補正対象項目名】０００１
【補正方法】変更
【補正の内容】
【０００１】
本発明は、テレビジョン放送受信装置、記録媒体、及び携帯端末、より詳細には、地上波デジタル放送に含まれる１セグメント放送（携帯端末向け放送）と１２セグメント放送（ハイビジョン放送など）を同時に受信・記録可能なテレビジョン放送受信装置、記録媒体、及び携帯端末に関する。
【手続補正４】
【補正対象書類名】明細書
【補正対象項目名】００１１
【補正方法】変更
【補正の内容】
【００１１】
本発明は、上述のごとき実情に鑑みてなされたものであり、デジタル放送の受信機能を備えたテレビジョン放送受信装置において、デジタル放送に含まれる１セグメント放送（携帯端末向け放送）のコンテンツと１２セグメント放送（ハイビジョン放送など）のコンテンツを同時に受信・記録し、１セグメント放送のコンテンツ及びその管理情報を携帯端末にムーブできるようにすること、
また、テレビジョン放送受信装置に記録される１２セグメント放送のコンテンツの管理情報（レジューム情報など）と、携帯端末にムーブされる１セグメント放送のコンテンツの管理情報とを関連付けておくことにより、異なる機器間においてスムーズな視聴を可能とすること、を目的とする。
【手続補正５】
【補正対象書類名】明細書
【補正対象項目名】００１２
【補正方法】変更
【補正の内容】
【００１２】
上記課題を解決するために、本発明の第１の技術手段は、同じ番組内容のハイビジョン放送及び携帯端末向け放送を同時に受信する受信手段と、該受信したハイビジョン放送の第１のコンテンツ及び携帯端末向け放送の第２のコンテンツを記録する記録手段とを備え、該記録手段に記録された携帯端末向け放送の第２のコンテンツを、外部接続可能な記録媒体にトランスコードせずにムーブすることを特徴としたものである。
【手続補正６】
【補正対象書類名】明細書
【補正対象項目名】００１３
【補正方法】変更
【補正の内容】
【００１３】
第２の技術手段は、第１の技術手段において、前記記録手段に記録されたハイビジョン放送の第１のコンテンツを復号して再生するデコード手段を備えることを特徴としたものである。
【手続補正７】
【補正対象書類名】明細書
【補正対象項目名】００１４
【補正方法】変更
【補正の内容】
【００１４】
第３の技術手段は、第１又は第２の技術手段において、前記記録手段に記録されたハイビジョン放送の第１のコンテンツを一覧にした再生リストを備え、該再生リストは、前記携帯端末向け放送の第２のコンテンツの有無を管理することを特徴としたものである。
【手続補正８】
【補正対象書類名】明細書
【補正対象項目名】００１５
【補正方法】変更
【補正の内容】
【００１５】
第４の技術手段は、携帯端末に接続される記録媒体であって、同じ番組内容のハイビジョン放送の第１のコンテンツ及び携帯端末向け放送の第２のコンテンツを記録した記録手段からトランスコードせずにムーブされた前記携帯端末向け放送の第２のコンテンツが記録されていることを特徴としたものである。
【手続補正９】
【補正対象書類名】明細書
【補正対象項目名】００１６
【補正方法】変更
【補正の内容】
【００１６】
第５の技術手段は、第４の技術手段において、前記記録媒体は、前記携帯端末向け放送の第２のコンテンツの管理情報を記録して有し、前記記録手段からムーブされた前記携帯端末向け放送の第２のコンテンツを記録することにより、その管理情報を更新することを特徴としたものである。
【手続補正１０】
【補正対象書類名】明細書
【補正対象項目名】００１７
【補正方法】変更
【補正の内容】
【００１７】
第６の技術手段は、同じ番組内容のハイビジョン放送の第１のコンテンツ及び携帯端末向け放送の第２のコンテンツを記録した記録手段と接続可能な携帯端末であって、前記記録手段からトランスコードせずにムーブされた前記携帯端末向け放送の第２のコンテンツが記録された記録媒体と、該記録媒体に記録された前記携帯端末向け放送の第２のコンテンツを復号して再生するデコード手段とを備えることを特徴としたものである。
【手続補正１１】
【補正対象書類名】明細書
【補正対象項目名】００１８
【補正方法】変更
【補正の内容】
【００１８】
第７の技術手段は、第６の技術手段において、前記記録媒体は、前記携帯端末向け放送の第２のコンテンツの管理情報を記録して有し、前記記録手段から前記記録媒体にムーブされた前記携帯端末向け放送の第２のコンテンツを記録することにより、その管理情報を更新し、前記デコード手段は、前記更新された管理情報に基づいて前記第２のコンテンツを復号して再生することを特徴としたものである。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】変更
【補正の内容】
【００３１】
本発明によれば、デジタル放送の受信機能を備えたテレビジョン放送受信装置において、デジタル放送に含まれる１セグメント放送（携帯端末向け放送）のコンテンツと１２セグメント放送（ハイビジョン放送など）のコンテンツを同時に受信・記録し、１セグメント放送のコンテンツ及びその管理情報を携帯端末にムーブできるため、コピーワンスの制限に係らず、記録再生装置上にコンテンツを残したまま携帯端末で同じコンテンツを視聴することができる。また、トランスコードする必要がないため短時間でコンテンツを転送することができる。
また、テレビジョン放送受信装置に記録される１２セグメント放送のコンテンツの管理情報（レジューム情報など）と、携帯端末にムーブされる１セグメント放送のコンテンツの管理情報とを関連付けておくことにより、異なる機器間においてスムーズな視聴を実現できる。例えば、番組の途中まで携帯端末で視聴していて、その続きをテレビ側で視聴する場合、テレビ側では、携帯端末で視聴を止めたところから頭出し再生することができる。
【手続補正２５】
【補正対象書類名】明細書
【補正対象項目名】００３２
【補正方法】変更
【補正の内容】
【００３２】
図１は、本発明の一実施形態に係わる記録再生システムの構成例を示す図で、記録再生システムは、地上波デジタル放送の受信機能を備えたテレビジョン放送受信装置に相当する記録再生装置１０と、コンテンツ再生機能を備えた携帯端末２０と、携帯端末２０を着脱可能に装着するための専用スタンド３０とから構成されている。記録再生装置１０は、専用スタンド３０とケーブル１を介して接続され、携帯端末２０が専用スタンド３０に装着されると、携帯端末２０との間で通信可能となる。なお、記録再生装置１０と専用スタンド３０との接続はケーブル１のような有線に限らず、無線を介して接続するようにしてもよい。
【手続補正２６】
【補正対象書類名】明細書
【補正対象項目名】００９０
【補正方法】変更
【補正の内容】
【００９０】
以上説明したように、本発明によれば、デジタル放送の受信機能を備えたテレビジョン放送受信装置において、デジタル放送に含まれる１セグメント放送（携帯端末向け放送）のコンテンツと１２セグメント放送（ハイビジョン放送など）のコンテンツを同時に受信・記録し、１セグメント放送のコンテンツ及びその管理情報を携帯端末にムーブできるため、コピーワンスの制限に係らず、記録再生装置上にコンテンツを残したまま携帯端末で同じコンテンツを視聴することができる。また、トランスコードする必要がないため短時間でコンテンツを転送することができる。
【手続補正２７】
【補正対象書類名】明細書
【補正対象項目名】００９１
【補正方法】変更
【補正の内容】
【００９１】
また、テレビジョンに記録される１２セグメント放送のコンテンツの管理情報（レジューム情報など）と、携帯端末にムーブされる１セグメント放送のコンテンツの管理情報とを関連付けておくことにより、異なる機器間においてスムーズな視聴を実現できる。例えば、番組の途中まで携帯端末で視聴していて、その続きをテレビ側で視聴する場合、テレビ側では、携帯端末で視聴を止めたところから頭出し再生することができる。